(57)【要約】【課題】    作業者が片手持ちの状態で複数本の仏花を位置合わせできるようにした、片手持ちタイプの仏花等の生花位置合わせ具を提供することを目的とする。【解決手段】  複数本の仏花３同士を位置合わせして束ねるべく、複数本の仏花３を位置合わせするための片手持ちタイプの仏花等の生花位置合わせ具１であって、  断面がＶ字状、又はＵ字状の仏花収容部６を有してこの仏花収容部６内へ下草や仏花等が収容可能であり、  仏花収容部６の縁からこの仏花収容部内へ突出することで、仏花収容部内に収容されている下草や仏花を上から押さえ込んで位置決めする押さえ部７が設けられていることを特徴とするものである。【選択図】図１
2010023876.tif 000002
【特許請求の範囲】
【請求項１】
複数本の仏花同士を位置合わせして束ねるべく、複数本の仏花を位置合わせするための片手持ちタイプの仏花等の生花位置合わせ具であって、
断面がＶ字状、又はＵ字状の仏花収容部を有してこの仏花収容部内へ下草や仏花等が収容可能であり、
仏花収容部の縁からこの仏花収容部内へ突出することで、仏花収容部内に収容されている下草や仏花を上から押さえ込んで位置決めする押さえ部が設けられていることを特徴とする片手持ちタイプの仏花等の生花位置合わせ具。
【請求項２】
複数本の仏花同士を位置合わせして束ねるべく、複数本の仏花を位置合わせするための片手持ちタイプの仏花等の生花位置合わせ具であって、
一側が折畳可能に連結されることで他側が開閉可能になった二つの仏花押さえ部を備え、
前記二つの仏花押さえ部の間は仏花収容部となって、仏花の茎が外部へ突出した状態で仏花が仏花収容部に収容され、
仏花を前記仏花収容部に収容して二つの仏花押さえ部を折り畳んで仏花を固定した状態で仏花の茎を結わえることが可能であることを特徴とする片手持ちタイプの仏花等の生花位置合わせ具。
【請求項３】
前記仏花押さえ部は硬質の透明部材で形成されていることを特徴とする請求項１又は請求項２に記載の片手持ちタイプの仏花等の生花位置合わせ具。
【請求項４】
前記仏花押さえ部は軟質の透明部材で形成され、二つの仏花押さえ部の開き過ぎを防ぐために、前記二つの仏花押さえ部を互いに連結するための連結部を備えていることを特徴とする請求項２又は請求項３に記載の片手持ちタイプの仏花等の生花位置合わせ具。
【請求項５】
前記仏花押さえ部はポリプロピレンで形成されていることを特徴とする請求項４に記載の片手持ちタイプの仏花等の生花位置合わせ具。
【請求項６】
前記複数本の仏花は互いに背丈が異なることを特徴とする請求項１乃至請求項５の何れか１項に記載の片手持ちタイプの仏花等の生花位置合わせ具。
【請求項７】
一方の仏花押さえ部には、片手の親指を引っ掛かけるための凹状の親指引っ掛け部が設けられていることを特徴とする請求項１乃至請求項６の何れか１項に記載の片手持ちタイプの仏花等の生花位置合わせ具。
【請求項８】
他方の仏花押さえ部に、指引っ掛け部を設け、この指引っ掛け部に親指以外の指を引っ掛け、この指を親指に対して広げることで、他方の仏花押さえ部を一方の仏花押さえ部に対して開くことができるようにしたことを特徴とする請求項７に記載の片手持ちタイプの仏花等の生花位置合わせ具。
【発明の詳細な説明】
【技術分野】
【０００１】
本発明は、複数本の仏花を束ねるべく、複数本の仏花を位置決めするための、片手持ちタイプの仏花等の生花位置合わせ具に関するものである。
【背景技術】
【０００２】
従来、複数本の仏花を束ねる場合、作業者は、先ず、利き手で、一番背の高い仏花を取り、その花を利き手とは反対側の掌に置く。次に、利き手で、二番目に背の高い仏花を取り、その花を利き手とは反対側の掌に置く。以下、この作業を繰り返すことで、背丈の異なる複数種の仏花を、作業者の利き手とは反対側の掌の上で位置合わせをした後に、仏花の茎を紐や輪ゴム等で束ねていた。
【発明の開示】
【発明が解決しようとする課題】
【０００３】
しかし、従来においては、作業者が熟練者以外の場合には、利き手とは反対側の掌の上で複数本の仏花を位置合わせすることになるために、仏花が位置ずれし易く、このために、見栄え良く仏花を束ねることができにくいという問題があった。
【０００４】
又、生花の結束に関する発明として、特許文献１が提案されている。
【特許文献１】特開平７−２４２２０９号公報
【０００５】
しかし、特許文献１に記載の発明は、大掛かりな装置を必要とし、装置の設置スペース等の観点から作業者が容易に扱うことのできるようにした片手持ちタイプの仏花等の生花位置合わせ具が望まれていた。
【０００６】
本発明は、前記背景技術の問題点に鑑みてなされたもので、その目的は、複数本の仏花を束ねるべく、複数本の仏花の位置決めをするものであって、作業者が片手持ちの状態で複数本の仏花を位置合わせできるようにした、片手持ちタイプの仏花等の生花位置合わせ具を提供することを目的とするものである。
【課題を解決するための手段】
【０００７】
請求項１に記載の発明は、複数本の仏花等の生花同士を位置合わせして束ねるべく、複数本の仏花等の生花を位置合わせするための片手持ちタイプの仏花等の生花位置合わせ具であって、
断面がＶ字状、又はＵ字状の仏花収容部を有してこの仏花収容部内へ下草や仏花等が収容可能であり、
仏花収容部の縁からこの仏花収容部内へ突出することで、仏花収容部内に収容されている下草や仏花を上から押さえ込む押さえ部が設けられていることを特徴とする片手持ちタイプの仏花等の生花位置合わせ具である。
【０００８】
請求項２に記載の発明は、複数本の仏花同士を位置合わせして束ねるべく、複数本の仏花を位置合わせするための片手持ちタイプの仏花等の生花位置合わせ具であって、
一側が折畳可能に連結されることで他側が開閉可能になった二つの仏花押さえ部を備え、
前記二つの仏花押さえ部の間は仏花収容部となって、仏花の茎が外部へ突出した状態で仏花が仏花収容部に収容され、
仏花を前記仏花収容部に収容して二つの仏花押さえ部を折り畳んで仏花を固定した状態で仏花の茎を結わえることを特徴とする片手持ちタイプの仏花等の生花位置合わせ具である。
【０００９】
請求項３に記載の発明は、請求項１又は請求項２に記載の片手持ちタイプの仏花等の生花位置合わせ具において、仏花押さえ部は硬質の透明部材で形成されていることを特徴とするものである。
【００１０】
請求項４に記載の発明は、請求項２又は請求項３に記載の片手持ちタイプの仏花等の生花位置合わせ具において、
前記仏花押さえ部は軟質の透明部材で形成され、二つの仏花押さえ部の開き過ぎを防ぐために、前記二つの仏花押さえ部を互いに連結するための連結部を備えていることを特徴とするものである。
【００１１】
請求項５に記載の発明は、請求項４に記載の片手持ちタイプの仏花等の生花位置合わせ具において、仏花押さえ部はポリプロピレンで形成されていることを特徴とするものである。
【００１２】
請求項６に記載の発明は、請求項１乃至請求項５の何れか１項に記載の片手持ちタイプの仏花等の生花位置合わせ具において、複数本の仏花は互いに背丈が異なることを特徴とするものである。
【００１３】
請求項７に記載の発明は、請求項１乃至請求項６の何れか１項に記載の片手持ちタイプの仏花等の生花位置合わせ具において、一方の仏花押さえ部には、片手の親指を引っ掛かけるための凹状の親指引っ掛け部が設けられていることを特徴とするものである。
【００１４】
請求項８に記載の発明は、請求項２乃至請求項７の何れか１項に記載の片手持ちタイプの仏花等の生花位置合わせ具において、他方の仏花押さえ部に、指引っ掛け部を設け、この指引っ掛け部に親指以外の指を引っ掛け、この指を親指に対して広げることで、他方の仏花押さえ部を一方の仏花押さえ部に対して開くことができるようにしたことを特徴とするものである。
【発明の効果】
【００１５】
請求項１に記載の発明によれば、仏花収容部がＶ字状、又はＵ字状になっているために、仏花収容部内へ下草や複数本の仏花等を載せることで、複数本の仏花が自重によって仏花収容部の底に集まるようにして複数本の仏花等の茎が容易に平行に揃うことになって、下草や複数本の仏花等を見栄え良く束ねることで仏花ができる。
【００１６】
請求項２に記載の発明によれば、請求項１に記載の効果を奏することができる上に、仏花収容部に仏花を載せた後に、二つの仏花押さえ部を折り畳むことによって、複数本の仏花の茎を容易に揃うことができて、複数本の仏花を見栄え良く束ねることで仏花ができる。
【００１７】
請求項３に記載の発明によれば、請求項１又は請求項２に記載の効果を奏することができる上に、仏花押さえ部は透明の部材で形成されているために、仏花収容部に載せられた仏花の状態を外部から目視することができる。
【００１８】
請求項４に記載の発明によれば、請求項２又は請求項３に記載の効果を奏することができる上に、仏花押さえ部が過度に開かないように、連結部が二つの仏花押さえ部を連結することができる。
【００１９】
請求項５に記載の発明によれば、請求項４に記載の効果を奏することができる上に、仏花押さえ部をポリプロピレン等で容易に形成することができる。
【００２０】
請求項６に記載の発明によれば、請求項１乃至請求項５の何れか１項に記載の効果を奏することができる上に、背丈の異なる複数本の仏花を見栄え良く束ねることができる。
【００２１】
請求項７に記載の発明によれば、請求項１乃至請求項６の何れか１項に記載の効果を奏することができる上に、親指引っ掛け部に親指を引っ掛けることで、仏花等の生花位置決め具を安定的に把持することができる。
【００２２】
請求項８に記載の発明によれば、請求項７に記載の効果を奏することができる上に、指引っ掛け部に親指以外の指を引っ掛けて開くことで、二つの仏花押さえ部を容易に広げることができる。
【発明を実施するための最良の形態】
【００２３】
図１及び図２は第１実施形態を示す。図１は片手持ちタイプの仏花等の生花位置合わせ具１の斜視図を示す。図２は片手持ちタイプの仏花等の生花位置合わせ具１に、下草２、仏花３を収容した状態を示す図である。
【００２４】
片手持ちタイプの仏花等の生花位置合わせ具１は、二つの透明の板材４，５がＶ字状、又はＵ字状に開くように、この板材４，５の一端を固定することで形成され、内側が仏花収容部６になっている。
【００２５】
前記仏花等の生花位置合わせ具１の開口端から仏花収容部６内へ押さえ部７が突出して設けられている。
【００２６】
次に作用について説明する。以下の説明では、作業者が右利きの場合について説明する。この場合、仏花等の生花位置合わせ具１を作業者の左の掌に載せる。その後、図２に示すように、先ず、仏花収容部６内へ下草２を置く。この下草２は、その周縁が押さえ部７で押さえられることで、浮き上がりが防止されて下草２は安定感良く、仏花収容部６内に位置することができる。
【００２７】
次に、下草２の上に、各種の仏花３を載せる。仏花３は、下草２に絡まる等して、仏花収容部６内から落下することなく、仏花収容部６内に安定的に位置する。この時、下草２、及び仏花３の茎は、仏花収容部６の外部へはみ出るようにする。次に、仏花収容部６外へはみ出た茎の部分を紐等で結わえることで、下草２や仏花３を束ねることができる。
【００２８】
尚、図に示すように、前記仏花収容部６から仏花３のはみ出る出口８に切欠部９を設けることで、仏花３を束ねる際に、指や紐が仏花位置合わせ具１の端部に当たることなく、作業者は、仏花３を束ねる作業を容易に行うことができる。
【００２９】
又、前記押さえ部７は、仏花収容部６の開口端に沿って複数個設けることができる。又、一つの押さえ部７の長さを長く形成することもできる。更に、押さえ部７に角度を付けることもできる。又、押さえ部７は断面が三角錐等の形状に形成することができ、好ましくは、軟質部材で形成した場合には、押さえ部７が生花を傷付ける虞がない。
【００３０】
図３は第２実施形態を示す。この第２実施形態の片手持ちタイプの仏花位置合わせ具１は、全体がポリプロピレン等の透明で軟質の部材で形成されている。この第２実施形態の片手持ちタイプの仏花等の生花位置合わせ具１は、底面の拡開部１１とこの拡開部１１の両端から立設された二つの仏花押さえ部１２と、二つの仏花押さえ部１２の先端を連結する連結部１３とを備えた構成である。
【００３１】
拡開部１１は、折り目を設けて形成されることで両方向へ広がったり、縮んだりすることが可能になっている。
【００３２】
又、前記一方の仏花押さえ部１２の縁には、凹状の親指引っ掛け部１４が設けられて、作業者の親指を引っ掛けることが可能になっている。又、他方の仏花押さえ部１２の側面には、複数の基準線１５が付され、複数の仏花３を各仏花３の背丈に応じて各基準線１５に位置合わせするようにして、複数の仏花３を仏花収容部６内へ載せることができるようになっている。
【００３３】
次に、作用について説明する。仏花等の生花位置合わせ具１を左の掌に載せ、図３に示すように、各基準線１５の位置を参考にしつつ、複数の仏花３を位置合わせしながら、仏花収容部６内へ載せる。この際、仏花等の生花位置合わせ具１を左の掌で握ることで、複数本の仏花３は茎の軸が平行に揃った状態になる。
【００３４】
次に、前述のように、仏花等の生花位置合わせ具１を左の掌で握った状態で、仏花収容部６から出ている仏花３の茎を紐等で結わえることで、仏花３を束ねることができる。又、この第２実施形態においても、二つの仏花押さえ部１２の開口側の縁に押さえ部を設けることによって、二つの仏花押さえ部１２を握った際に、仏花収容部６内に載せられている仏花３が浮き上がる現象を防止することができる。この押さえ部は、断面が三角錐等の形状に形成することができ、好ましくは、軟質部材で形成した場合には、押さえ部７が生花を傷付ける虞がない。
【００３５】
図４は、第３実施形態を示す。この第３実施形態の特徴は、第２実施形態の変形であって、仏花等の生花位置合わせ具１の底面の拡開部１１に指を引っ掛けるための指引っ掛け孔１６を設けた点にある。
【００３６】
次に、作用について説明する。親指引っ掛け部１４に親指を引っ掛け、次に、親指以外の４本の内の指、例えば、中指を指引っ掛け孔１６に引っ掛ける。次に、中指を親指に対して広げて、二つの仏花押さえ部１２を左右に広げることで、仏花収容部６を広げる。次に、仏花収容部６内へ仏花３を載せる。この際、仏花収容部６が広がっているために、複数の仏花３を容易に仏花収容部６内へ載せることができる。
【００３７】
次に、仏花等の生花位置合わせ具１を握りしめることで、仏花収容部６に載せられている複数本の仏花３の茎を平行に揃える。次に、仏花収容６部から出ている仏花３の茎を紐等で結わえることによって、複数本の仏花３を束ねることができる。又、この第３実施形態においても、二つの仏花押さえ部１２の開口側の縁に押さえ部１２Ａを設けることによって、二つの仏花押さえ部１２を握った際に、仏花収容部６内に載せられている仏花３が浮き上がる現象を防止することができる。この押さえ部１２Ａは、断面が三角錐等の形状に形成することができ、好ましくは、軟質部材で形成した場合には、押さえ部７が生花を傷付ける虞がない。
【００３８】
図５、図６，図７は、第４実施形態を示す。この第４実施形態の特徴は、二つの仏花押さえ部１２を硬質の透明部材で形成し、二つの仏花押さえ部１２の一側をヒンジ２１等で折畳可能に連結することで、他側を開閉可能になって、内側が仏花収容部６になって、この仏花収容部６内に仏花３を載せることができるようになっている。又、一方の仏花押さえ部１２の縁には、凹状の親指引っ掛け部２２が設けられ、他方の仏花押さえ部１２には、親指以外の例えば、中指を引っ掛けるため指引っ掛け部２３が形成されている。更に、前記仏花収容部６に載せられた仏花３の茎を外部へ出すための茎の出口２４の周辺を切欠くことで、切欠部２５が形成されている。
【００３９】
次に、作用について説明する。図５に示すように、親指引っ掛け部２２に親指を引っ掛け、指引っ掛け部２３に、親指以外の例えば、中指を引っ掛け、親指に対して中指を拓くことで、二つの仏花押さえ部１２を図５に示すように開かせる。次に、仏花収容部６内へ複数本の仏花３を載せる。次に、中指を親指に近づけることによって、図６、図７に示すように、二つの仏花押さえ部１２を閉じることによって、仏花収容部６内に載せられている複数本の仏花３の茎が平行になるように揃うことができる。次に、仏花収容部６から外部へ出ている仏花３の茎を紐等で結わえることで、複数本の仏花３を容易に束ねることができる。
【００４０】
尚、図６に示すように、仏花押さえ部１２の外面に複数の溝２６を刻むことで、作業者が仏花押さえ部１２を滑らないようにしっかりと握ることができる。又、この第４実施形態においても、二つの仏花押さえ部１２の開口側の縁に押さえ部１２Ａを設けることによって、二つの仏花押さえ部１２を握った際に、仏花収容部６内に載せられている仏花３が浮き上がる現象を防止することができる。この押さえ部１２Ａは、断面が三角錐等の形状に形成することができ、好ましくは、軟質部材で形成した場合には、押さえ部７が生花を傷付ける虞がない。
【００４１】
図８，図９，図１０は、第５実施形態を示す。この第５実施形態は第４実施形態の変形であって、この第５実施形態の特徴は、仏花収容部６の内面に内側へ突出する突起２７を設け、更に、位置決め突起２８を形成した点にある。又、この第５実施形態においても、二つの仏花押さえ部１２の開口側の縁に押さえ部１２Ａを設けることによって、二つの仏花押さえ部１２を握った際に、仏花収容部６内に載せられている仏花３が浮き上がる現象を防止することができる。この押さえ部１２Ａは、断面が三角錐等の形状に形成することができ、好ましくは、軟質部材で形成した場合には、押さえ部７が生花を傷付ける虞がない。図８、図９，図１０には、突起２７の形状について、互いに異なった形状のものが記載されている。
【００４２】
次に、作用について説明する。先ず、位置決め突起２８を机等の固定物に押し当てることで、仏花位置合わせ具１の位置決めをすることによって、手ぶれを防止する。次に、仏花収容部６内に仏花を載せる。次に、仏花押さえ部１２を閉じると、仏花押さえ部１２内面の突起２７が仏花を押さえることで、複数本の仏花の茎を平行に容易に揃えることができる。次に、仏花収容部６から外部へ出ている仏花の茎を紐等で結わえることで、仏花を見栄え良く束ねることができる。
【００４３】
以上説明した第２実施形態以降の実施形態において、仏花等の生花３の下に下草２を敷いてこの下草２の上に仏花等の生花３を載せるようにしても良い。又、下草２とは、ヒサカキ等が該当するものである。
【００４４】
又、以上説明した仏花等の生花位置合わせ具１は、基台に取り付けておくことも可能である。尚、以上の実施形態は、作業者が右利きの場合について説明したが、作業者が左利きの場合にも適用することができる。この場合、位置合わせ具１の形状が左右逆になる。
【図面の簡単な説明】
【００４５】
【図１】図１は、片手持ちタイプの仏花位置合わせ具の斜視図を示す。
【図２】図２は、作用を説明する仏花位置合わせ具の斜視図を示す。
【図３】図３は、第２実施形態の片手持ちタイプの仏花位置合わせ具の斜視図を示す。
【図４】図４は、第３実施形態の片手持ちタイプの仏花位置合わせ具の斜視図を示す。
【図５】図５は、第４実施形態の片手持ちタイプの仏花位置合わせ具の斜視図を示す。
【図６】図６は、図５に示す片手持ちタイプの仏花位置合わせ具を閉じた状態を示す図である。
【図７】図７は、図５に示す片手持ちタイプの仏花位置合わせ具を閉じた状態を示す図である。
【図８】図８は、第５実施形態の片手持ちタイプの仏花位置合わせ具を示す図である。
【図９】図９は、第５実施形態の片手持ちタイプの仏花位置合わせ具を示す図である。
【図１０】図１０は、第５実施形態の片手持ちタイプの仏花位置合わせ具を示す図である。
【符号の説明】
【００４６】
１  片手持ちタイプの仏花位置合わせ具
２  下草
３  仏花
１２  仏花押さえ部
１４  親指引っ掛け部
１５  基準線
【図１】
2010023876.tif 000003
【図２】
2010023876.tif 000004
【図３】
2010023876.tif 000005
【図４】
2010023876.tif 000006
【図５】
2010023876.tif 000007
【図６】
2010023876.tif 000008
【図７】
2010023876.tif 000009
【図８】
2010023876.tif 000010
【図９】
2010023876.tif 000011
【図１０】
2010023876.tif 000012